(57)【要約】      （修正有）【課題】情報表示部を大きく確保することができると共に、操作部分も大きく確保することができるユーザーインターフェース装置を提供する。【解決手段】本ユーザーインターフェース装置１は、視認できる数字又は文字の情報表示領域２Ａに、それぞれ別の操作を命じる複数の操作領域２Ｃを重ねて設けたモニタ部２を有したタッチパネル３を利用することとした。情報表示領域を大きくして視認性が向上すると共に、操作領域も情報表示領域程度に大きくかつ該情報表示領域を消費することなく確保できるから操作性が向上するといった利点がある。【選択図】図２
0003165553.tif 000002
【実用新案登録請求の範囲】
【請求項１】
視認できる数字又は文字の情報表示領域中に、それぞれ別の操作を命じる複数の操作領域を重ねて設けたタッチパネルを利用したユーザーインターフェース装置。
【請求項２】
情報表示領域の数字の表示に２つの操作領域を設け、該操作領域にタッチすることにより、数字の増加又は数字の減少、の操作が可能であることを特徴とする請求項１記載のユーザーインターフェース装置。
【請求項３】
情報表示領域の文字の表示に複数の操作領域を設け、該操作領域にタッチすることにより、文字の表示の送り、戻し、文字の表示内容に関する関連機能を呼び出す、のうちいずれかの操作が可能であることを特徴とする請求項１又は２記載のユーザーインターフェース装置。
【考案の詳細な説明】
【技術分野】
【０００１】
本考案は、情報表示部分を大きく確保することができると共に、操作部分も大きく確保することができるユーザーインターフェース装置に関するものである。
【背景技術】
【０００２】
従来、例えば以下の特許文献１に記載されるようにいわゆるタッチパネルを用いたユーザインタフェースに関する技術が多数存在する。
【先行技術文献】
【特許文献】
【０００３】
【特許文献１】特開２０１０−６６１９３号公報
【０００４】
タッチパネルを用いたユーザインタフェースは、内容を表示するモニタ部と、接触を感知する操作部と、を備えており、モニタ部では操作すべき例えばメニュー等を表示し、操作部はモニタ部における操作すべき内容に対応してＸ，Ｙ座標の接触を感知し、感知した場合にモニタ部における表示に関する操作がされたこととなる。
【０００５】
すなわち、操作部とモニタ部は協働しているのであって、当然ながら、モニタ部で操作に関する表示されていない部分は、操作部で接触しても操作に関する反応がない。換言すると、操作部は、モニタ部で操作に関する表示部位と対をなした状態で接触を感知するように設計されていることになる。
【０００６】
したがって、従来のモニタ部におけるユーザーインターフェース（画面表示構成）は、操作に関係のない情報表示部分と、操作に関する操作部分と、を有することとなる。具体的には、例えば病院や銀行などで受け付け待ちの順番を記したシートを発行する装置（以下、受付装置という）では、現在の受け付け番号や呼び出しの番号の表示が前記の情報表示部分に相当し、システムの設定メニューといった表示が前記の操作部分に相当することとなる。
【０００７】
上記の受付装置の中でも、健康診断用の器材一式を載せて移動するいわゆる健診バス（以下、健診車という）に搭載されたもの（以下、健診車用受付装置という）は特殊であり、例えば１日のうちに、複数の企業などへ出向いて複数人の健診を行う場合があり、その場合は、単に番号だけを順番に示すだけでは足りず、診断のデータと組織と受付番号とを対応させておく必要がある。
【０００８】
そして、健診車内は上記のように健康診断用の器材一式を限られた空間内に搭載していることから、健診車用受付装置を設置するスペースは極めて限られ、例えば表示ディスプレイもできる限り小さい表示面積のものが採用されることはもちろん、制御用のハードウェアも最小限の大きさにされるように設計された専用装置が採用される。
【０００９】
健診車用受付装置を搭載しないとすればその分だけ健診車における搭載スペースが空くこととなるが、人間が逐一組織名と受付番号と診断のデータとを対応させる必要が生じる。昨今では、例えば診断データと組織、受付番号の対応が誤ってしまうなどの人為的なミスの発生と、作業の効率を考慮して、多少の健診車内スペースの犠牲を払っても健診車用受付装置を搭載する場合が多くなっている。
【００１０】
健診車用受付装置は、表示と操作が兼用できるタッチパネルを用いたユーザインタフェースが省スペース化や作業の効率化に貢献できるが、上記のとおりできる限り省スペースのものが採用されるから、当然に情報表示部分も小さくせざるを得ず、そのうえモニタ部には該情報表示部分と共に操作部分も表示せざるを得ないから、さらに情報表示部分は小さくなり、情報表示部分の視認性は良好とは言えないのが現状である。
【００１１】
また、情報表示部分の視認性を向上させるために該情報表示部分を大きくすれば、その分だけ、操作部分が小さくなるから操作がし難くなってしまう。さらに、操作部分も情報表示部分の大きさに近づけると、情報表示部分が目立たなくなってしまうといった不具合もある。
【考案の概要】
【考案が解決しようとする課題】
【００１２】
本考案が解決しようとする問題は、健診車など比較的設置場所の限られた省スペース型の受付装置のユーザーインターフェースでは、情報表示部分が小さく視認性が悪い点、そして情報表示部分を大きくすると操作部分が小さくなって操作がし難くなる点、さらに操作部分を大きくすると情報表示部分が目立たなくなってしまう点、である。
【課題を解決するための手段】
【００１３】
本考案のユーザーインターフェース装置は、視認できる数字又は文字の情報表示領域中に、それぞれ別の操作を命じる複数の操作領域を重ねて設けたタッチパネルを利用したことを最も主要な特徴とする。
【考案の効果】
【００１４】
本考案は、情報表示領域を大きくして視認性が向上すると共に、操作領域も情報表示領域程度に大きくかつ該情報表示領域を消費することなく確保できるから操作性が向上するといった利点がある。
【図面の簡単な説明】
【００１５】
【図１】図１は、本考案のユーザーインターフェース装置を示す図である。
【図２】図２は、ユーザーインターフェース装置の概念を示す分解斜視図である。
【考案を実施するための形態】
【００１６】
本考案は、図１〜図２に示す次の形態により実施可能である。図１に示すように、本考案のタッチパネルを利用したユーザーインターフェース装置１（以下、インターフェース装置１と記す）は、内容を表示するモニタ部２が下面に設けられ、接触を感知するパネル状接触センサが一体となったいわゆるタッチパネル３を有している。
【００１７】
モニタ部２は、インターフェースとして、視認できる数字又は文字の情報表示領域２Ａと、この情報表示領域２Ａにあって実際にタッチパネル３に触れることで操作可能であると共に、その操作内容が表示された操作情報領域２Ｂと、前記情報表示領域２Ａに重ねて設けられた、表示内容を有していない複数の操作領域２Ｃとを備えている。
【００１８】
すなわち、モニタ部２は、概念として図２に示すように構成されている。モニタ部２は上述のとおり、その前面に物理的にタッチパネル３が設けられる。操作自体は、モニタ部２で表示されている操作情報領域２Ｂの表示位置に対応した、タッチパネル３におけるＸ，Ｙ座標の接触を感知したときに、該操作情報領域２Ｂの操作が行われる。
【００１９】
一方、モニタ部２における情報表示領域２Ａは、視認できる数字又は文字を表示する領域であって、操作を受け付ける領域ではない。しかし、この情報表示領域２Ａとは別に（操作情報領域２Ｂ以外の）操作領域を設けるとなると、情報表示領域２Ａや操作情報領域２Ｂの表示面積が小さくなってしまう。
【００２０】
情報表示領域２Ａや操作情報領域２Ｂの表示面積が小さくなると、情報表示領域２Ａにあっては本来表示しなければならない情報が視認しにくくなり、操作情報領域２Ｂにあっては操作のために指などを接触させる面積が小さくなって操作しにくくなる。
【００２１】
そこで、本考案のインターフェース装置１は、情報表示領域２Ａに、操作領域２Ｃを重ねて設けるようにしている。操作領域２Ｃは、例えば情報表示領域２Ａにおいて数字の表示の各桁毎に上下の２つの操作領域を設け、上側では当該桁の数字の増加、下側では当該桁の数字の減少、の操作を可能としている。
【００２２】
こうすることで、数字の情報表示領域２Ａにおいては、各桁毎に数位の増加や減少の操作が可能となると共に、こうした操作のための領域を別途設ける必要がないから、該情報表示領域２Ａは視認性、該操作情報領域２Ｂは操作性、のいずれも犠牲にすることなく情報表示領域２Ａや操作情報領域２Ｂの表示面積は必要最大限の状態を維持できる。
【００２３】
また、操作領域２Ｃは、例えば情報表示領域２の文字の表示に左右方向に左、中、右の３つの操作領域を設け、左側ではデータベースにおいて順並びとされた当該文字の表示（例えば会社等所属名）の表示を順送、右側では同当該文字の表示を逆送り、中側では、同文字の表示内容に関する関連機能（例えば上記数字の情報において途中まで記録している累計数）を呼び出す、の操作を可能としている。
【００２４】
こうすることで、上記数字の増加・減少だけでなく、表示されている数字の表示に関する文字の情報を表示させる操作のための領域を別途設ける必要がないから、上記同様、該情報表示領域２Ａは視認性、該操作情報領域２Ｂは操作性、のいずれも犠牲にすることなく情報表示領域２Ａや操作情報領域２Ｂの表示面積は必要最大限の状態を維持できる。
【００２５】
さらに、本考案のインターフェース装置１は、情報表示領域２Ａと密接に関係する操作を操作領域２Ｃとして該情報表示領域２Ａと重ねて表示しているから、操作情報領域２Ｂにおけるメニューを操作するより直感的で判りやすいというメリットがある。
【００２６】
本考案のインターフェース装置１の具体的な用途としては、例えば、健診車内に設置しすることで、１日のうちに、複数の企業（情報表示領域２Ａにおける文字の情報として表示される）へ出向いて複数人（情報表示領域２Ａにおける数字の情報として表示される）の健診を行う場合に極めて好適である。
【００２７】
この場合、企業から企業へ移動する度に、診断のデータと組織と受付番号（診断者）とを対応させておくために、例えば文字の情報に係る情報表示領域２Ａにおける左側又は右側の操作領域２Ｃを操作して次に訪問する企業名を表示させ、続いて中側を操作すると、数字の情報に係る情報表示領域２Ａが読み出されて表示される。
【００２８】
そして、当該企業において健康診断を行う場合、その企業内においても部署毎に組織や集団があるから、この場合は数字の情報に係る情報表示領域２Ａに重ねて設けた操作領域２Ｃを操作して、例えば１千番台は営業部、２千番台は企画部、といったように桁数で対応させることができ、その操作も当該桁の操作領域２Ｃの上側又は下側の操作により行える。
【００２９】
したがって、その都度、当該における操作情報領域２Ｂを操作して、数字の情報や文字の情報を適性なものに操作するよりは、情報表示領域２Ａに密接に関係する操作が操作領域２Ｃで即座に操作が可能となることで、上記のとおり直感的で操作しやすく、人為的なミスが発生しにくくなる。
【産業上の利用可能性】
【００３０】
上記実施例では、健診車内に搭載される健診車用受付装置を示したが、これに限らず、設置スペースが限られていて、かつ煩雑に設定を切り替える必要のある受付装置に適用すれば好適で、上記と同等の作用効果を得ることができる。
【符号の説明】
【００３１】
１  （ユーザー）インターフェース装置
２  モニタ部
２Ａ  情報表示領域
２Ｂ  操作情報領域
２Ｃ  操作領域
３  タッチパネル  
【図１】
0003165553.tif 000003
【図２】
0003165553.tif 000004